(57)【特許請求の範囲】
【請求項１】
上端面開口の周壁３を起立する容器体１と、
上記周壁３の上端後部に枢着させて、開閉自在に周壁上端開口面を気密に閉塞する蓋体１１とを有し、
該蓋体の頂壁１２一部を開口して該開口周縁から定量振出し機構１９を内在する口頸部１８を起立し、かつ該口頸部外面には着脱自在に口キャップ３１を気密に嵌合させると共に、蓋体１１の前部からは肉薄ヒンジ２８を介して止め孔２９付きの把手３０を容器体周壁３前面に沿って垂下しておき、
又容器体周壁上部からは止め板７を前方突出しておき、
上記肉薄ヒンジ２８を中心とする回動による把手３０の垂下と起立とで、上記止め板７への止め孔２９の強制着脱が自在に形成したことを特徴とする、定量振出し機構付き粉末容器。
【請求項２】
上記蓋体１１を、頂壁１２前部に穿設した開口周縁から口頸部１８を起立すると共に、その口頸部上端の開口面を前部だけ振出孔２０として残して頂板２１で閉塞し、かつ該頂板の振出孔孔縁から関板２２を垂下して形成し、
又、上記口頸部１８の内面へ固着させた筒部２３の下端開口面前部を底板２４で閉塞すると共に、該底板の後縁から斜上後方へ傾斜板２５を、上記関板２２下端と、頂板２１下面と、筒部２３の後部内面との間にそれぞれ間隙をおいて、かつ左右両側面は筒部２３の内面に接続させて、突出する補助部材２６を設け、
定量振出し機構１９を、上記頂板２１と、関板２２と、補助部材２６とで形成したことを特徴とする、請求項１記載の定量振出し機構付きの粉末容器。
【発明の詳細な説明】
【０００１】
【発明の属する技術分野】
本発明は、定量振出し機構付きの粉末容器に関する。
【０００２】
【従来の技術】
例えば実開昭６３‐４６３５７号公報が示すように、容器体口頸部の内面に複数部材を嵌着させて、それ等部材で定量振出し機構を形成した粉末容器が知られている。
【０００３】
【発明が解決しようとする課題】
上記従来の容器は、容器体の口頸部内に複数部材を嵌合させて定量振出し機構を形成するから、容器体内への粉末納入は上記部材を口頸部内へ嵌合させる前に行うこととなり、すると上記部材嵌合の際にその部材に付着していた塵状物が粉末中に混入するおそれがある。又粉末の補充も上記部材を口頸部から抜出しして行うこととなるため面倒であり、従ってこの種容器は通常使い棄て容器として用いられている。
【０００４】
このようにして、例えば育児用の粉末乳のように、比較的大量に一日数回宛しかも長期に互って使用する場合には、上記従来の容器は粉末補充が面倒であることから不適当であった。
【０００５】
本発明は、上記振出し機構付きの口頸部を、容器体周壁の上部へ、該周壁上端開口面の開閉が自在に枢着させた蓋体の頂壁から起立し、又上記口頸部には口キャップを着脱自在に嵌合させ、粉末定量振出しの場合は上記口頸部の振出孔から、又容器体内への粉末補充は蓋体解放によって、それぞれ行えるよう設けることで上記課題を解決しようとするものである。
【０００６】
【課題を解決するための手段】
第１の手段として上端面開口の周壁３を起立する容器体１と、
上記周壁３の上端後部に枢着させて、開閉自在に周壁上端開口面を気密に閉塞する蓋体１１とを有し、
【０００７】
該蓋体の頂壁１２一部を開口して該開口周縁から定量振出し機構１９を内在する口頸部１８を起立し、かつ該口頸部外面には着脱自在に口キャップ３１を気密に嵌合させると共に、蓋体１１の前部からは肉薄ヒンジ２８を介して止め孔２９付きの把手３０を容器体周壁３前面に沿って垂下しておき、
【０００８】
又容器体周壁上部からは止め板７を前方突出しておき、
上記肉薄ヒンジ２８を中心とする回動による把手３０の垂下と起立とで、上記止め板７への止め孔２９の強制着脱が自在に形成した。
【０００９】
第２の手段として、上記第１の手段を有すると共に上記蓋体１１を、頂壁１２前部に穿設した開口周縁から口頸部１８を起立すると共に、その口頸部上端の開口面を前部だけ振出孔２０として残して頂板２１で閉塞し、かつ該頂板の振出孔孔縁から関板２２を垂下して形成し、
【００１０】
又、上記口頸部１８の内面へ固着させた筒部２３の下端開口面前部を底板２４で閉塞すると共に、該底板の後縁から斜上後方へ傾斜板２５を、上記関板２２下端と、頂板２１下面と、筒部２３の後部内面との間にそれぞれ間隙をおいて、かつ左右両側面は筒部２３の内面に接続させて、突出する補助部材２６を設け、
定量振出し機構１９を、上記頂板２１と、関板２２と、補助部材２６とで形成した。
【００１１】
【発明の実施の形態】
１は底壁２周縁から上端面開口の周壁３を起立する容器体で、その周壁上端部外面には突条４を周設し、又その突条後部には後述の蓋体枢着用の割溝５を、又突条４前部の上面には、後述蓋体前部から垂下させる把手のための連結板載置用凹部６を穿設し、かつ該凹部を有する突条部分の左右両側に切込みを設けてこれ等切込み間の突条部分を止め板７としている。周壁３上端部は、小外径として上記突条４上方へ僅かに突出している。
【００１２】
１１は蓋体で、頂壁１２外周から垂下する周壁１３を、上記突条４上方へ突出する容器本体周壁３の上端部外面へ嵌合させ、又その周壁１３の後部からは、既述割溝５内へ嵌合させて左右両側面からピン１４，１４を突出する軸板部１５を垂設し、かつその左右両面から突出するピンを割溝の左右両面中央部に穿設したピン穴内へ回動可能に嵌合させている。図示のように周壁３との間に間隙をおいて嵌合短壁１６を頂壁１２から垂下し、それ等周壁１３と嵌合短壁１６との間にシリコンゴム等で形成したパッキング１７を固着して、該パッキングを介して蓋体頂壁外周部を容器本体周壁３の上端面へ気密に載置させるとよい。
【００１３】
蓋体頂壁１２の一部を開口して、該開口周縁から口頸部８を起立する。その開口は図示のように頂壁１２の前部に穿設して口頸部を起立するとよい。
【００１４】
上記口頸部１８内へは、粉末用の定量振出し機構１９を設ける。該定量振出し機構は、従来公知のものでもよく、又図示のように形成してもよい。即ち図示例にあっては、口頸部１８の上端開口面を、前部だけ振出孔２０として残して頂板２１で閉塞し、かつその頂板２１の振出孔孔縁から関板２２を垂下し、又口頸部１８内面へ、筒部２３の下端面前部を底板２４で閉塞し、かつ該底板後縁から斜上後方へ傾斜板２５を突出する補助部材２６を嵌合させて、上記頂板２１と関板２２と補助部材２６とで形成している。補助部材の筒部２３は口頸部１８の内面へ固着させ、又傾斜板２５は既述関板２２下端と、頂板２１下面と、筒部２３の後部内面との間に、それぞれ間隙をおいて、更に傾斜板２５の左右両側面は筒部２３の内面に接続させて底板後縁から突出する。
【００１５】
図示例の場合は、関板２２の左右両側に割溝を設けて、これ等割溝内への筒部分嵌合により補助部材の筒部２３を口頸部１８の全長に互って嵌合させているが、該方法のほか、関板２２の左右両側を口頸部内面と接続し、又筒部２３は短かく設けて関板２２下方の口頸部部分へだけ嵌合させることも出来る。
【００１６】
蓋体周壁１３の前部下端からは、連結板２７を前方突出して既述凹部６内上部へ嵌合させ、その連結板前端から、肉薄ヒンジ２８を介して止め孔２９付きの把手３０を垂下する。把手垂下時においてその止め孔２９内へは既述止め板７が強制嵌合され、該嵌合時蓋体１１のパッキング１７は容器体周壁３の上端面へ圧接して、その周壁３上端開口面を、蓋体１１が気密に閉塞するよう設ける。把手３０はその上部に止め孔２９を穿設してその下方部分を長くし、上記肉薄ヒンジ２８を中心とする回動により止め板７に対する止め孔２９の嵌合及びその取外しを把手を用いれば容易に行えるよう設けている。
【００１７】
３１は口頸部１８外面へ螺合させた口キャップである。
図１の状態から、容器体内粉末４１を振出すには、図３のように、口キャップ３１を外した後、容器体１を倒立する。該倒立状態において、補助部材２６の筒部２３後半下部と傾斜板２５上端との間を通ってその筒部２３後半上部と、頂板２１と、関板２２とが形成する計量室内に入った粉末は、次いで容器体を正立に戻すことで、一部は上記流入口を通って容器体内へ戻るものの、他の前半側つまり傾斜板２５の上方側に入っていた粉末は傾斜板２５上を摺動することで該傾斜板２５下部と、底板２４と、筒部２３の前半下部とが形成する貯室内へ入り、再度容器体を倒立することで、該貯室内粉末は振出孔２０を通って振出され、又同時に容器体内粉末が計量室内へ入り、以後容器体倒立の都度、貯室内粉末が振出される。
【００１８】
容器体内の粉末が減少ないし無くなったときは、把手３０を肉薄ヒンジ２８を中心とする回動により起立させて止め板７から止め孔２９を外し、該状態で蓋体枢着のピン１４を中心とする回動により蓋体１１を開き、該開蓋状態で容器体内へ粉末を補充する。補充後は再度蓋体１１を閉じ、把手３０を戻して止め孔２９内へ止め板７を嵌合させる。
【００１９】
【発明の効果】
本発明は既述構成とするものであり、請求項１発明の場合は、容器体周壁の上端開口面を開閉自在に閉塞する蓋体１１の頂壁１２から定量振出し機構付きの口頸部１８を起立し、その口頸部に口キャップ３１を嵌合させたから、容器体内粉末４１の振出しは定量振出し機構付きの口頸部１８から、又その粉末の補充は上記蓋体１１開蓋によって容器体周壁上端の開口面から、それぞれ別々に行うことが出来、よって既述従来例における、粉末補充が面倒となる欠点を除去でき、又蓋体１１を容器本体周壁３の後部に枢着させると共に、蓋体前部からは肉薄ヒンジ２８を介して止め孔２９付きの把手３０を容器体周壁前面に沿って垂下し、上記止め孔２９を容器体周壁上部から前方突出する止め板７に強制着脱が可能に嵌合させたから、容器体１に対する蓋体１１の開閉を確実に行うことが出来ると共にその把手取外しによる開蓋の際は、把手下端を強く引くことで容易に行うことが出来る。
【００２０】
請求項２の発明の場合は、上記請求項１発明の効果を有するほか、口頸部１８を蓋体頂壁１２の前部から起立すると共に、その口頸部上端の前部に振出孔２０を設けたから、粉末を予定の場所へ確実に振出すことが容易となり、又頂板２１付きの口頸部１８内へ補助部材２６を嵌合させるだけで、定量振出し構成１９を構成できるから、容器の構造を簡易化でき、廉価に製作することができる。
【図面の簡単な説明】
【図１】本発明容器の縦断面図である。
【図２】容器要部の拡大断面図である。
【図３】口キャップ取外し状態で示す、容器の縦断面図である。
【図４】口キャップ取外し状態で示す、容器の斜視図である。
【符号の説明】
１…容器体                          ７…止め板            １１…蓋体
１９…定量振出し機構    ２０…振出孔            ２２…関板
２６…補助部材          ３０…把手
【図１】
0003559380.tif 000002
【図２】
0003559380.tif 000003
【図３】
0003559380.tif 000004
【図４】
0003559380.tif 000005